(57)【要約】【課題】本発明は、極めて商品価値の高い画期的な手動式除雪具及びその製造方法を提供することを目的とする。【解決手段】横部材１の左右両端部に縦部材２，３を連設したコ字状の枠体４と、この枠体４の前記縦部材２，３同士の間に設けられるバケット体５とから成る手動式除雪具であって、前記横部材１にグリップ材６を被嵌して径大のグリップ部７が設けられたものである。【選択図】図１
2008184784.tif 000002
【特許請求の範囲】
【請求項１】
横部材の左右両端部に縦部材を連設したコ字状の枠体と、この枠体の前記縦部材同士の間に設けられるバケット体とから成る手動式除雪具であって、前記横部材にグリップ材を被嵌して径大のグリップ部が設けられていることを特徴とする手動式除雪具。
【請求項２】
請求項１記載の手動式除雪具において、前記グリップ材は前記横部材と前記縦部材との連設角部に設けられていることを特徴とする手動式除雪具。
【請求項３】
請求項１，２いずれか１項に記載の手動式除雪具において、前記グリップ材は樹脂製であることを特徴とする手動式除雪具。
【請求項４】
横部材の左右両端部に縦部材を連設したコ字状の枠体と、この枠体の前記縦部材同士の間に設けられるバケット体とから成る手動式除雪具の製造方法であって、筒状のグリップ材を前記縦部材の先端部から被嵌して前記横部材まで移動させた後、前記縦部材夫々の所定位置に補強横体を架設して該補強横体，前記バケット体及び前記縦部材を重合連結することを特徴とする手動式除雪具の製造方法。
【請求項５】
横部材の左右両端部に縦部材を連設したコ字状の枠体と、この枠体の前記縦部材同士の間に設けられるバケット体とから成る手動式除雪具の製造方法であって、筒状のグリップ材を前記縦部材の先端部から被嵌して前記横部材まで移動させた後、前記縦部材夫々の所定位置に補強横体を架設して熱を用いない連結手段により該補強横体，前記バケット体及び前記縦部材を重合連結することを特徴とする手動式除雪具の製造方法。
【請求項６】
請求項５記載の手動式除雪具の製造方法において、熱を用いない連結手段として、螺着体を採用したことを特徴とする手動式除雪具の製造方法。
【請求項７】
請求項４〜６いずれか１項に記載の手動式除雪具の製造方法において、前記グリップ材は、前記横部材まで移動させた際に該横部材と前記縦部材との連設角部まで被嵌される長さであることを特徴とする手動式除雪具の製造方法。
【請求項８】
請求項４〜７いずれか１項に記載の手動式除雪具の製造方法において、前記グリップ材を被嵌する前記枠体は仕上げ処理が完了したものであることを特徴とする手動式除雪具の製造方法。
【請求項９】
請求項４〜８いずれか１項に記載の手動式除雪具の製造方法において、前記補強横体は前記バケット体の基端部に添設されるものであることを特徴とする手動式除雪具の製造方法。
【請求項１０】
請求項４〜９記載の手動式除雪具の製造方法において、前記枠体には前記グリップ材を被嵌する前に揮発性潤滑剤が塗布されることを特徴とする手動式除雪具の製造方法。
【発明の詳細な説明】
【技術分野】
【０００１】
本発明は、手動式除雪具及びその製造方法に関するものである。
【背景技術】
【０００２】
従来から、除雪作業を行う際に使用する除雪具として、横部材の左右両端部に縦部材を連設したコ字状の枠体の該縦部材同士の間にバケット体を止着して成る、例えば特開平１１−１９００３９号に開示された手動式除雪具（以下、従来例という。）が提案されており、この従来例によれば、シャベルなどに比べて一度に多量の雪を掬い入れて運搬・排雪することができて非常に便利である。
【０００３】
【特許文献１】特開平１１−１９００３９号公報
【発明の開示】
【発明が解決しようとする課題】
【０００４】
しかしながら、従来例は、例えば手のひらが大きい男性が使用する場合、手で握る部位（横部材）の径が細すぎて力が入れにくく力作業（一度に多量の重い雪を運搬しようとする作業など）が良好に行えず、また、直ぐに握る手が痛くなったり疲れ易くて長時間の使用が困難であるなどの問題点がある（枠体を構成する横部材及び縦部材の太さは、強度，軽量性及びコスト性が考慮された径に設定されている。）。
【０００５】
そこで、手で握る部位（横部材）、特に横部材の両端寄り及び横部材と縦部材との連設角部の径を太くすべく、該部位に例えば断面Ｃ字状や半割り状の樹脂製グリップ材を被嵌させてグリップ部を設ける場合があるが、この場合は、このグリップ部に形成される切れ目から該グリップ材が破損したり、この切れ目故に体裁が悪いという問題がある（この断面Ｃ字状のグリップ材は破損し易く見え、好ましくない。）。
【０００６】
しかし、従来例は、その構造上、筒状のグリップ材でグリップ部を形成するのが極めて困難とされる。
【０００７】
即ち、従来例は、枠体を構成する縦部材同士の間には補強横体が架設されるが、この補強横体はその左右端部が縦部材夫々の先端側所定位置に溶接されており、よって、筒状のグリップ材を枠体に被嵌するには補強横体を縦部材に溶接する前に行わなければならない。
【０００８】
ところで、溶接後には該溶接部及びその近傍への仕上げ処理（塗装）が必要であり（溶接熱の為、該部分が変色し、体裁が悪くなるから、また、グリップ材の被嵌後に枠体の仕上げ処理（塗装）を行うことは不可能であるから（仕上げ処理（塗装）における乾燥の為の加熱によりグリップ材が損傷するから）、補強横体の溶接前に筒状のグリップ材を被嵌することとした場合には、仕上げ処理済の枠体の縦部材に補強横体を溶接し、その後、再度、該溶接部にのみ仕上げ処理（塗装）をしなければならず、量産性及びコスト性に問題点がある。
【０００９】
従って、以上の理由から従来例には径大のグリップ部が設けられていないのが現状である。
【００１０】
本発明は、上述の問題点に着目し、種々の実験・研究を繰り返し行った結果、従来にない作用効果を発揮する画期的な手動式除雪具及びその製造方法を開発した。
【課題を解決するための手段】
【００１１】
添付図面を参照して本発明の要旨を説明する。
【００１２】
横部材１の左右両端部に縦部材２，３を連設したコ字状の枠体４と、この枠体４の前記縦部材２，３同士の間に設けられるバケット体５とから成る手動式除雪具であって、前記横部材１にグリップ材６を被嵌して径大のグリップ部７が設けられていることを特徴とする手動式除雪具に係るものである。
【００１３】
また、請求項１記載の手動式除雪具において、前記グリップ材６は前記横部材１と前記縦部材２，３との連設角部Ｃに設けられていることを特徴とする手動式除雪具に係るものである。
【００１４】
また、請求項１，２いずれか１項に記載の手動式除雪具において、前記グリップ材６は樹脂製であることを特徴とする手動式除雪具に係るものである。
【００１５】
また、横部材１の左右両端部に縦部材２，３を連設したコ字状の枠体４と、この枠体４の前記縦部材２，３同士の間に設けられるバケット体５とから成る手動式除雪具の製造方法であって、筒状のグリップ材６を前記縦部材２，３の先端部から被嵌して前記横部材１まで移動させた後、前記縦部材２，３夫々の所定位置に補強横体８を架設して該補強横体８，前記バケット体５及び前記縦部材２，３を重合連結することを特徴とする手動式除雪具の製造方法に係るものである。
【００１６】
また、横部材１の左右両端部に縦部材２，３を連設したコ字状の枠体４と、この枠体４の前記縦部材２，３同士の間に設けられるバケット体５とから成る手動式除雪具の製造方法であって、筒状のグリップ材６を前記縦部材２，３の先端部から被嵌して前記横部材１まで移動させた後、前記縦部材２，３夫々の所定位置に補強横体８を架設して熱を用いない連結手段により該補強横体８，前記バケット体５及び前記縦部材２，３を重合連結することを特徴とする手動式除雪具の製造方法に係るものである。
【００１７】
また、請求項５記載の手動式除雪具の製造方法において、熱を用いない連結手段として、螺着体９を採用したことを特徴とする手動式除雪具の製造方法に係るものである。
【００１８】
また、請求項４〜６いずれか１項に記載の手動式除雪具の製造方法において、前記グリップ材６は、前記横部材１まで移動させた際に該横部材１と前記縦部材２，３との連設角部Ｃまで被嵌される長さであることを特徴とする手動式除雪具の製造方法に係るものである。
【００１９】
また、請求項４〜７いずれか１項に記載の手動式除雪具の製造方法において、前記グリップ材６を被嵌する前記枠体４は仕上げ処理が完了したものであることを特徴とする手動式除雪具の製造方法に係るものである。
【００２０】
また、請求項４〜８いずれか１項に記載の手動式除雪具の製造方法において、前記補強横体８は前記バケット体５の基端部に添設されるものであることを特徴とする手動式除雪具の製造方法に係るものである。
【００２１】
また、請求項４〜９記載の手動式除雪具の製造方法において、前記枠体４には前記グリップ材６を被嵌する前に揮発性潤滑剤が塗布されることを特徴とする手動式除雪具の製造方法に係るものである。
【発明の効果】
【００２２】
本発明は上述のように構成したから、前述した従来例と異なり、枠体を構成する横部材よりも径大なグリップ部を有する為、例えば手のひらが大きい男性であっても力が入れ易くて力作業が良好に行えることになり、しかも、握る手が痛くなりにくくて疲れにくい為長時間の使用も可能になるなど従来にない作用効果を発揮する画期的な手動式除雪具及びその製造方法となる。
【発明を実施するための最良の形態】
【００２３】
好適と考える本考案の実施形態を、図面に基づいて本考案の作用を示して簡単に説明する。
【００２４】
除雪作業に際し、作業者は横部材１に設けた径大のグリップ部７を握り、例えばバケット体５で雪を掬ったり、このバケット体５で掬った雪を運搬したり排雪したりする操作を行うことができる。
【００２５】
従って、前述した従来例と異なり、作業者は径大なグリップ部７を握って作業が行えることになる為、例えば手のひらが大きい男性であっても力が入れ易くて力作業が良好に行えることになり、しかも、握る手が痛くなりにくくて疲れにくい為長時間の使用も可能になる。
【００２６】
また、請求項２記載の発明においては、グリップ材６は横部材１と縦部材２，３との連設角部Ｃに設けられているから、特に力作業で使用される部位（この種の製品において力作業を行う際には横部材１と縦部材２，３との連設角部Ｃを握って行われる。）にグリップ部７が設けられることで、確実に力作業が良好に行える状態が得られる。
【００２７】
また、請求項３記載の発明においては、グリップ材６は樹脂製であるから、握った手によく馴染んで滑りにくい為、より一層握る手が痛くなりにくくて疲れにくい状態が得られることになる。
【００２８】
また、請求項４記載の発明においては、組み立て作業が極めて簡素化される。即ち、従来例の場合、補強横体と縦部材との止着連結作業の後に、もう一回バケット体の止着連結作業が必要となるが、この点、請求項４記載の発明においては、補強横体８，バケット体５及び縦部材２，３の重合連結作業一回で組み立て作業が完了することになる。
【００２９】
また、請求項５記載の発明においては、筒状のグリップ材６を縦部材２，３の先端部から被嵌して横部材１まで移動させた後、縦部材２，３夫々の所定位置に補強横体８を架設して熱を用いない連結手段により該補強横体８，バケット体５及び縦部材２，３を重合連結するから、グリップ材６を横部材１に被嵌させても製造効率などが劣悪とはならず、よって、径大なグリップ部７を具備した構成の手動式除雪具を量産的且つコスト安に得ることができる。
【実施例】
【００３０】
本発明の具体的な実施例について図面に基づいて説明する。
【００３１】
本実施例は、横部材１の左右両端部に縦部材２，３を連設したコ字状の枠体４と、この枠体４の前記縦部材２，３同士の間に設けられるバケット体５とから成る手動式除雪具Ｄである。
【００３２】
具体的には、枠体４は、図１，２に図示したように適宜な金属製の断面円形パイプを正面視コ字状に折曲形成したものであり、横部材１と、この横部材１の左右両端部に連設される縦部材２，３とで構成されている。
【００３３】
この横部材１と縦部材２，３との左右の連設角部Ｃには、グリップ材６が被嵌され径大のグリップ部７が設けられている。このグリップ材６は、適宜な合成樹脂製の部材（ウレタン樹脂）を筒状に形成したものであり、枠体４に被嵌した際、横部材１と縦部材２，３との連設角部Ｃまで被嵌される長さに設定されている。
【００３４】
本実施例では、グリップ部７を設ける位置として、横部材１の中央部分には設けず、横部材１と縦部材２，３との左右の連設角部Ｃにのみ設けている。
【００３５】
これは、この種の製品において特に力作業を行う際に握る部分（横部材１の左右両端部は勿論、左右の縦部材２，３の基端部）にはグリップ部７が設けられることを前提とし、グリップ材６は短いと、製造時に縦部材２，３の先端部から被嵌させて移動させる作業が行い易く、且つ、それだけコスト安にもなるなど製造上の理由によるものである。
【００３６】
縦部材２，３は、図２に図示したように略中央位置で屈曲形成されており、この屈曲部２ａ，３ａよりも先端側部位は、後述するバケット体５の左右側端部５ａ，５ｂに添設される部位に設定され、更に、屈曲部２ａ，３ａの近傍位置及び先端位置には螺着体９の雄螺子９ａを嵌挿する為の貫通孔10が形成されている。尚、螺着体９は、雄螺子９ａとこの雄螺子９ａに螺着する雌螺子９ｂとから成り、雄螺子９ａを嵌挿させた複数の被固定部材を挟持固定する構成である。本実施例では後述する補強横体８，バケット体５及び縦部材２，３を重合連結する手段として螺着体９を採用したが、例えば貫通孔に嵌挿させたピンの端部をカシメて止着するカシメ連結手段など、要は熱を用いない連結手段（仕上げ処理された面を荒さない手段）であれば良い。
【００３７】
また、縦部材２，３は、図３，４に図示したように屈曲部２ａ，３ａの近傍位置同士の間に金属パイプ製の補強横体８が架設されており、この補強横体８の左右端部８ａ，８ｂは湾曲平板状に形成されており、前述した螺着体９を嵌挿する為の貫通孔11が形成されている。
【００３８】
従って、補強横体８は左右端部８ａ，８ｂを縦部材２，３夫々に重合状態として螺着体９を介して螺着されることになり、左右端部８ａ，８ｂは縦部材２，３の形状に沿う湾曲平板状であるから堅固な連結が達成される。
【００３９】
この補強横体８は、枠体４を補強する機能とともにバケット体５の基端部５ｃに添設されて該バケット体５を補強する機能を発揮するものであり、その他、除雪作業時にバケット体５を雪へ差し込む際などに足で蹴り込む部位としても機能する。
【００４０】
バケット体５は、図１に図示したように適宜な合成樹脂製の部材で形成したものであり、先端部には金属板が付設されて雪刺入部12が形成されている。
【００４１】
また、バケット体５は、左右側端部５ａ，５ｂ及び基端部５ｃが湾曲板状に形成されており、この左右側端部５ａ，５ｂは縦部材２，３の上部に被嵌するように構成され、基端部５ｃは補強横体８の上部に被嵌するように構成されている。
【００４２】
また、バケット体５は、左右側端部５ａ，５ｂの基端側位置及び先端側位置に螺着体９の雄螺子９ａを嵌挿する貫通孔13が形成されている。
【００４３】
従って、バケット体５は左右側端部５ａ，５ｂを縦部材２，３夫々に重合状態として螺着体９を介して螺着される。
【００４４】
以上の構成からなる手動式除雪具Ｄの製造方法について説明する。
【００４５】
図２に図示したように縦部材２，３及び横部材１の所定位置まで揮発性潤滑剤を塗布し、この揮発性潤滑材が乾く前に縦部材２，３夫々の先端部から一対のグリップ材６を被嵌し、横部材１と縦部材２，３との連設角部Ｃまで移動させる。このグリップ材６を被嵌する前に塗布される揮発性潤滑材としては、乾燥後にグリップ材６の滑り止め機能を発揮するものが採用される。
【００４６】
続いて、図３に図示したように縦部材２，３の屈曲部２ａ，３ａの近傍位置同士の間に補強横体８を架設した後、図４に図示したようにバケット体５の左右側端部５ａ，５ｂを縦部材２，３に被嵌するとともに、バケット体５の基端部５ｃを補強横体８に被嵌する。
【００４７】
続いて、螺着体９により縦部材２，３、補強横体８及びバケット体５夫々の四箇所に設けた貫通孔10，11，13に螺着体９の雄螺子９ａを嵌挿するとともに雌螺子９ｂを螺着して、枠体４と補強横体８とバケット体５とを一体化して完成する。
【００４８】
本実施例は上述のように構成したから、前述した従来例と異なり、作業者は枠体４を構成する横部材１を握ることなく径大なグリップ部７を握って作業が行えることになる為、例えば手のひらが大きい男性であっても力が入れ易くて力作業が良好に行えることになり、しかも、握る手が痛くなりにくくて疲れにくい為長時間の使用も可能になる。
【００４９】
また、本実施例は、グリップ材６は横部材１と縦部材２，３との連設角部Ｃに設けられているから、特に力作業で使用される部位（この種の製品において力作業を行う際には横部材１と縦部材２，３との連設角部Ｃを握って行われる。）にグリップ部７が設けられることで、確実に力作業が良好に行える状態が得られる。
【００５０】
また、本実施例は、グリップ材６は樹脂製であるから、握った手によく馴染んで滑りにくい為、より一層握る手が痛くなりにくくて疲れにくい状態が得られることになる。
【００５１】
また、本実施例は、補強横体８，バケット体５及び縦部材２，３の重合連結作業一回で組立作業が完了することになる。
【００５２】
また、本実施例は、筒状のグリップ材６を縦部材２，３の先端部から被嵌して横部材１まで移動させた後、縦部材２，３夫々の所定位置に補強横体８を架設して熱を用いない連結手段により該補強横体８，バケット体５及び縦部材２，３を重合連結するから、グリップ材６を横部材１に被嵌させても製造効率などが劣悪とはならず、よって、径大なグリップ部７を具備した構成の手動式除雪具を量産的且つコスト安に得ることができる。
【００５３】
尚、本発明は、本実施例に限られるものではなく、各構成要件の具体的構成は適宜設計し得るものである。
【図面の簡単な説明】
【００５４】
【図１】本実施例を示す斜視図である。
【図２】本実施例の製造工程説明図である。
【図３】本実施例の製造工程説明図である。
【図４】本実施例の製造工程説明図である。
【符号の説明】
【００５５】
Ｃ  連設角部
１  横部材
２  縦部材
３  縦部材
４  枠体
５  バケット体
６  グリップ材
７  グリップ部
８  補強横体
９  螺着体
【図１】
2008184784.tif 000003
【図２】
2008184784.tif 000004
【図３】
2008184784.tif 000005
【図４】
2008184784.tif 000006